(57)【要約】【目的】投入口を開閉する上蓋と共に、容器の口を封鎖する中蓋を設けることによって、回収機本体内に臭気や雑菌等がこもるのを回避し得る極めて衛生的な紙おむつ回収機を提供する。【解決手段】回収機本体１の内部に、使用済紙おむつ収集用の容器２を収容する容器収容室３と、脱臭・殺菌室４とを、互いに連通して形成すると共に、回収機本体１には、容器２に使用済紙おむつを投入する投入口７と、投入口７を開閉する上蓋８と、容器２の口を開閉する中蓋９と、中蓋９を上蓋８と連動して開閉させる連動開閉機構１１と、容器２の出入口１２を開閉する扉１３と、回収機本体１内の空気を容器収容室３から脱臭・殺菌室４を経由して容器収容室３へ戻すように循環させるためのファンとを設ける。【選択図】　　　　図２
2004121468.tif 000002
【特許請求の範囲】
【請求項１】
密閉箱状回収機本体の内部に、使用済紙おむつ収集用の容器を収容する容器収容室と、脱臭・殺菌手段を備えた脱臭・殺菌室とを互いに連通して形成すると共に、この回収機本体には、容器収容室に収容される容器に使用済紙おむつを投入する投入口と、この投入口を開閉する上蓋と、容器の口を開閉する中蓋と、この中蓋を上蓋と連動して開閉させる連動開閉機構と、容器を出し入れする出入口と、この出入口を開閉する扉と、回収機本体内の空気を容器収容室から脱臭・殺菌室を経由して容器収容室へ戻すように循環させるためのファンとを設けてなる紙おむつ回収機。
【請求項２】
回収機本体の下部にペダルを設けると共に、ペダルと連動開閉機構との間に蓋開閉操作機構を介装し、このペダルを踏むことによって上蓋と中蓋とを連動して開放するようにしてなる請求項１に記載の紙おむつ回収機。
【請求項３】
脱臭・殺菌手段は、紫外線を放射する殺菌灯と、紫外線を受けて活性酸素を発生する光触媒とからなる請求項１又は２に記載の紙おむつ回収機。
【請求項４】
回収機本体を手押し台車に搭載してなる請求項１〜３の何れかに記載の紙おむつ回収機。
【発明の詳細な説明】
【０００１】
【発明の属する技術分野】
本発明は、病院や老人ホーム等の施設において、肢体不自由者や寝たきり患者等が使用した使用済紙おむつを回収すると共に、その使用済紙おむつから発せられる臭気を除去し、殺菌するようにした紙おむつ回収機に関する。
【０００２】
【従来の技術】
本願発明の出願人は、以前に、回収機本体の内部に、使用済紙おむつ収集用の容器を収容する容器収容室と、脱臭室及び殺菌室とを形成すると共に、回収機本体に、容器収容室に収容される容器に使用済紙おむつを投入する投入口及びこれを開閉する蓋と、容器を出し入れする出入口及びこれを開閉する扉とを設け、送風機により、容器収容室の空気を脱臭室から殺菌室を経て容器収容室に戻すようにした紙おむつ回収機を出願している（特許文献１参照）。
【０００３】
【特許文献１】
特願２００１−３４８４８２号
【０００４】
【発明が解決しようとする課題】
上記出願の紙おむつ回収機によれば、回収機本体内の空気が容器収容室から脱臭室及び殺菌室を経て容器収容室へと循環しながら、その循環中に脱臭及び殺菌を行うようになっていて、投入口の蓋を閉めている限り、容器収容室内の空気が外部に洩れないから、施設内の環境を損なわず、各種病原菌が外部に放出されず、施設内の内部感染を回避することができる。しかしながら、この回収機では、容器収容室に収容されている容器の口が開放されたままとなっているため、容器内の使用済紙おむつから発せられる臭気を伴った空気が容器の口から容器外部へ不必要に吸引排出され、それがために臭気や雑菌等が回収機本体内にこもるおそれがあった。
【０００５】
本発明は、上記の課題に鑑み、投入口を開閉する上蓋と共に、容器の口を封鎖する中蓋を設けることによって、回収機本体内に臭気や雑菌等がこもるのを回避し得る極めて衛生的な紙おむつ回収機を提供することを目的とする。
【０００６】
【課題を解決するための手段】
請求項１に係る発明は、密閉箱状回収機本体１の内部に、使用済紙おむつ収集用の容器２を収容する容器収容室３と、脱臭・殺菌手段を備えた脱臭・殺菌室４とを互いに連通して形成すると共に、この回収機本体１には、容器収容室３に収容される容器２に使用済紙おむつＫを投入する投入口７と、この投入口７を開閉する上蓋８と、容器２の口を開閉する中蓋９と、この中蓋９を上蓋８と連動して開閉させる連動開閉機構１１と、容器２を出し入れする出入口１２と、この出入口１２を開閉する扉１３と、回収機本体１内の空気を容器収容室３から脱臭・殺菌室４を経由して容器収容室３へ戻すように循環させるためのファン２２，４４とを設けてなることを特徴とする。
【０００７】
請求項２は、請求項１に記載の紙おむつ回収機において、回収機本体１の下部にペダル２８を設けると共に、ペダル２８と前記連動開閉機構１１との間に蓋開閉操作機構２９を介装し、このペダル２８を踏むことによって上蓋８と中蓋９とを連動して開放するようにしてなることを特徴とする。
【０００８】
請求項３は、請求項１又は２に記載の紙おむつ回収機において、脱臭・殺菌手段は、紫外線を放射する殺菌灯５と、紫外線を受けて活性酸素を発生する光触媒６とからなることを特徴とする。
【０００９】
請求項４は、請求項１〜３の何れかに記載の紙おむつ回収機において、回収機本体１を手押し台車６０に搭載してなることを特徴とする。
【００１０】
【発明の実施の形態】
図１は本発明に係る紙おむつ回収機を閉蓋状態で示す斜視図、図２は同紙おむつ回収機を開蓋状態で示す斜視図、図３は図１のＸ−Ｘ線に沿った中央断面図、図４の（Ａ）は（Ｂ）のＹ−Ｙ線に沿った断面図、（Ｂ）は図３と同様な断面図であるが、（Ａ）のＺ−Ｚ線に沿った断面図である。図５の（Ａ）は（Ｂ）のＶ−Ｖ線に沿った断面図、（Ｂ）は図１のＷ−Ｗ線に沿った断面図である。この紙おむつ回収機は、上壁部１ａ、底壁部１ｂ、前後側壁部１ｃ，１ｄ及び左右側壁部１ｅ，１ｆによって密閉箱状に形成された回収機本体１を有する。
【００１１】
回収機本体１の内部には、底壁部１ｂの上方に設けられた上底壁部１ｈを隔ててその上部側に使用済紙おむつＫを収集する容器２を収容するための容器収容室３が形成され、上底壁部１ｈと底壁部１ｂとの間には隔壁１ｇを隔ててその前部側に脱臭・殺菌室４が形成され、その後部側は中央隔壁１ｉを隔てて両側に空気流通室１６，１７を形成している。脱臭・殺菌室４内には、紫外線を放射する殺菌灯５が設置されると共に、この殺菌灯５に面する当該脱臭・殺菌室４の背面側、即ち隔壁１ｇの中央側に光触媒６が設けられ、この隔壁１ｇの両側には、脱臭・殺菌室４と空気流通室１６，１７とを連通する連通口１８，１９が形成され、これらの連通口１８，１９には夫々フィルターＦが装着されている。ここでは、紫外線を放射する殺菌灯５とこれに面するように配置された光触媒６とによって脱臭・殺菌手段が構成される。
【００１２】
また回収機本体１の内部にはその背面に沿った左右両側位置に容器収容室３と空気流通室１６，１７とを上下に貫通するダクト１４，１５が配設されている。両ダクト１４，１５は夫々の上下両端が閉塞されていて、一方のダクト１４にはその上部側に、容器収容室３内の空気を吸引する吸引口２０が設けられ、この吸気口２０より吸引した空気を空気流通室１６に吐出する吐出口２１が当該ダクト１４の下端部に設けられ、そして吸引口２０の内側には図４の（Ｂ）に示すように吸引ファン２２が装備されている。他方のダクト１５の下端部には、空気流通室１６から脱臭・殺菌室４を経由して空気流通室１７に入った空気を吸引する吸引口２３が設けられ、この吸引口２３より吸引した空気を容器収容室３に吐出する吐出口２４が吸引口２３の上方に設けられ、そしてこの吐出口２４の内側には吐出ファン４４（図４の（Ａ）参照）が設けられている。また、これら吸引口２０，２３及び吐出口２１，２４には夫々フィルターＦが装着されている。
【００１３】
回収機本体１の上壁部１ａは、後端部から前端部にかけて下り傾斜状に形成されている。この上壁部１ａには、容器収容室３に収容される容器２に使用済紙おむつＫを投入する投入口７が開口形成され、この投入口７を開閉する上蓋８が上壁部１ａの後端部側でヒンジＨａ（図３参照）によって蝶着されている。この投入口７の内部には、容器収容室３に収容された容器２の口を蓋受け１０を介して開閉する中蓋９が、連動開閉機構１１により上蓋８と連動して開閉できるように設けられている。また、容器収容室３に対し容器２を出し入れするための出入口１２が回収機本体１の前側壁部１ｃに設けられると共に、この出入口１２を開閉する扉１３が前側壁部１ｃの一側端部にヒンジ（図示せず）で蝶着されている。更に脱臭・殺菌室４も、その前面側が開口されて、扉２５が前側壁部１ｃの下端部でヒンジ（図示せず）により蝶着され、開閉できるようになっている。尚、容器２としては、角形のポリバケツが使用される。
【００１４】
前記蓋受け１０は、上端開口面が回収機本体１の傾斜状上壁部１ａと同じ傾斜面に形成された角筒状の蓋受け本体１０ａと、この蓋受け本体１０ａに下端周縁部に突設されたフランジ部１０ｂと、からなるもので、図３から分かるように、この蓋受け１０は、フランジ部１０ｂが容器収容室３内に収容された容器２の上端に当接して容器２の口を閉鎖する位置に配置され、しかしてこの閉鎖位置においてフランジ部１０ｂの後端部側がヒンジＨｂによって前記ダクト１４，１５に蝶着されると共に、フランジ部１０ｂの前端部が図２及び図３に示すようにチェーン等からなる一対の索２６，２６によって上壁部１ａの下面から懸吊され、それにより上記容器閉鎖位置に宙吊状態に支持されている。従って、容器収容室３に対し容器２を出し入れする時は、この蓋受け１０を若干持ち上げるようにすればよい。
【００１５】
前記中蓋９を上蓋８と連動して開閉させる連動開閉機構１１は、図３から分かるように、中蓋９の上端開口面を閉鎖し得る位置でこの中蓋９の後端部を、蓋受け１０の後端部近傍に枢着すると共に、この中蓋９をチェーン等からなる左右一対の索２７，２７で上蓋８に連結してなるもので、図３の仮想線図示のように、上蓋８を開放して直立姿勢にする時、中蓋９を両索２７，２７により持ち上げて開放し、上蓋８と同じ直立姿勢にするようになっている。尚、中蓋９の後端部を枢着する点については後述する。
【００１６】
前記投入口７の上蓋８は、回収機本体１の前面下端部に設けられたペダル２８を踏むことによって開放されるようになっている。即ち、このペダル２８と前記連動開閉機構１１との間に蓋開閉操作機構２９が介装されていて、ペダル２８を踏むことにより、蓋開閉操作機構２９が連動開閉機構１１を操作して、上蓋８と中蓋９とを連動開放させるようになっている。
【００１７】
この蓋開閉操作機構２９は、図２〜図４から分かるように、前端部にペダル２８を固定した揺動レバー３０の後部側を、回収機本体１の底壁部１ｂの下面側にブラケット３１を介して枢着すると共に、揺動レバー３０の前端側が後端側より高くなるように付勢するバネ３２を揺動レバー３０と回収機本体１の底壁部１ｂとの間に介装し、一端部を揺動レバー３０の後端部に止着したチェーン３３を、回収機本体１の底壁部１ｂに軸着したシーブ３４に掛装して、このチェーン３３の他端部を、回収機本体１内の背面側に上下動自在配置した連動杆３５の下端部に連結し、この連動杆３５の上端部を、前記両ダクト１４，１５の上端部を貫通して軸架した回転軸３６の中央部にあるクランクレバー３７に枢支連結し、回転軸３６の両端部に突設した両側一対の上蓋押し上げアーム３８，３８の夫々先端部を、閉鎖位置にある上蓋８の下面に当接させると共に、これら上蓋押し上げアーム３８，３８の内側位置で回転軸３６に突設したアーム片３９，３９の先端部に、中蓋９の両側面後端部を枢支ピンｐにより枢着してなるものである。
【００１８】
上記のように構成される蓋開閉操作機構２９において、いま、図３の実線図示の状態からペダル２８を踏むと、揺動レバー３０が前上がり姿勢から後上がり姿勢に揺動して、チェーン３３が引っ張られ、これにより連動杆３５が下動して、クランクレバー３７を介して回転軸３６を一定角度回転させ、この回転軸３６の回転により上蓋押し上げアーム３８，３８が同図の実線図示位置から上向きに揺動して上蓋８を押し上げ、同図の仮想線図示のような直立姿勢に開放保持する。この上蓋８の開放動作に伴い、中蓋９は、連動開閉機構１１により、回転軸３６と一体回転するアーム片３９の先端枢着部（枢支ピンｐ）を中心に揺動開放し、上蓋８と共に仮想線図示のような直立姿勢に開放保持される。このような開蓋状態からペダル２８を解放すれば、バネ３２により揺動レバー３０が元の前上がり姿勢に戻り、上蓋押し上げアーム３８，３８が仮想線図示位置から実線図示位置へ復帰して上蓋８が閉じ、同時に中蓋９が閉じる。
【００１９】
尚、この蓋開閉操作機構２９では、図３に示すように、チェーン３３が回収機本体１の底壁部１ｂを貫通し、また連動杆３５が上底壁部１ｈを貫通しているが、チェーン３３が底壁部１ｂを貫通する部分、及び連動杆３５が上底壁部１ｈを貫通する部分には夫々ゴムチューブ（図示省略）を取り付け、このチューブ内にチェーン３３や連動杆３５を通すなどして、貫通部分における気密性を確保している。
【００２０】
また、上蓋８が閉じた状態で投入口７を気密封止し、また中蓋９が閉じた状態で蓋受け１０の上端開口面を気密封止するように、上蓋８の裏面側周縁部、蓋受け本体１０ａの上端周縁部にシールパッキンｓが装着されており、また図示は省略するが、蓋受け１０のフランジ部１０ｂ下面にも、容器２の口を気密封止するシールパッキンｓが装着されている。更に、容器収容室３の出入口１２を閉じる扉１３、及び脱臭・殺菌室４の前面側開口部を閉じる扉２５の夫々裏面側周縁部にもシールパッキンｓが装着されている。尚、扉１３，２５には、夫々閉じた位置でロックする周知のロック手段が設けられている。
【００２１】
前記脱臭・殺菌室４内に設置された殺菌灯５は、紫外線の照射によって、細菌やカビ類を殺菌すると共に、空気を浄化するようになっている。また、この殺菌灯５に面するように設置された光触媒６は、酸化チタンからなるガラス繊維シート状に形成されたもので、殺菌灯５により紫外線を照射すると、ＯＨラジカルと言う活性酸素が発生して、様々な有機物・臭いを分解し、悪臭や各種雑菌を含んだ空気を脱臭すると共に殺菌する。また、この光触媒６は、ガラス繊維のシート状体の表面に付着した様々な有機物を上記活性酸素の発生により分解して除去すると言う自己浄化作用を有するから、交換不要、メンテナンス不要で、長期使用が可能となる。ここでは、紫外線を放射する殺菌灯５と、これに面するように配置された光触媒６とによって脱臭・殺菌手段を構成している。
【００２２】
この実施形態では、脱臭・殺菌室４内に殺菌灯５と光触媒６とからなる脱臭・殺菌手段を配置しているが、光触媒６に代え、活性炭を使用してもよい。しかしながら、活性炭は、脱臭作用のみで、殺菌作用がなく、体積が大きくて、重い。これに対し、光触媒６は、優れた脱臭作用及び殺菌作用を有すると共に、前記自己浄化作用を有し、しかもシート状のもので場所をとらず、非常に軽いため、紙おむつ回収機の脱臭・殺菌室４内に設ける脱臭・殺菌手段として極めて有効である。またこの実施形態では、脱臭・殺菌室４の背面側の隔壁１ｇのみに光触媒６を設けているが、脱臭・殺菌室４の前面側にある扉２５の裏面側にも光触媒６を設けて、殺菌灯５を挟んでその両側に光触媒６を配設するようにすれば、一層有効となる。
【００２３】
図５の（Ｂ）に示すように、脱臭・殺菌室４に隣接する空気流通室１６，１７には、脱臭・殺菌室４との連通口１８，１９の手前側に衝立４１，４２が設けられていて、ダクト１４の吐出口２１から吐出される空気を一旦衝立４１に衝当させて、空気流通室１６内を流通させながら脱臭・殺菌室４に流入させ、この脱臭・殺菌室４を通過して連通口１９を出る空気を一旦衝立４２に衝当させて空気流通室１７に送り、その内部で空気を流通させながら吸引口２３で吸引させるようにしている。このように空気流通室１６，１７に衝立４１，４２を設けたのは、脱臭・殺菌室４を通過する空気の流速を遅くして、光触媒６による脱臭及び殺菌室作用をより有効に行なわせるためである。即ち、衝立４１，４２を設けなければ、吐出口２１からの空気がそのまま連通口１８に入り、脱臭・殺菌室４を急速に通過して連通口１９からそのまま吸引口２３に吸引されることになり、そうなると、光触媒６の作用が十分に行なわれ難くなる。尚、図５の（Ｂ）において、４０は電源ボックスを示す。また、図１〜図５において、４３は回収機本体１の下端部に取り付けられたキャスターを示す。
【００２４】
上述したような構成よりなる紙おむつ回収機を使用するにあたっては、先ず、容器収容室３内の使用済紙おむつ収集用容器２にポリエチレン製ゴミ袋（図示せず）を入れ、その口部を開いて容器２の上端周縁部に係止させておく。そして、この紙おむつ回収機を病院等の施設で使用する時は、所定の場所まで移動させて行って、ファン駆動用の電源コード（図示せず）を近くのコンセントに接続し、電源スイッチ（図示せず）を入れて吸引ファン２２及び吐出ファン４４の駆動を開始する。この場合、電源コードと共に、ファンの電源としてのバッテリーを回収機本体１内に装備するようにしてもよい。
【００２５】
患者から取り外した使用済紙おむつＫを容器２に収集する際に、ペダル２８を踏むと、上蓋８と中蓋９とが連動して開放するから、投入口７より使用済紙おむつＫを容器２内のゴミ袋に投入して、図４の（Ｂ）及び図５の（Ｂ）に示すように収集する。容器２の口は蓋受け１０によって閉鎖され、この蓋受け１０の上端開口部は中蓋９で閉鎖されているから、この容器２は密閉状態にあるが、使用済紙おむつＫの投入時に上蓋８及び中蓋９が開放する際などに、使用済紙おむつＫから発生する臭気、即ち悪臭成分が容器収容室３内を漂うことがある。
【００２６】
しかして、吸引ファン２２及び吐出ファン４４の駆動により、上記のように容器収容室３内を漂う容器収容室３内の空気は、ダクト１４の上部側にある吸引口２０に吸引され、その下部側の吐出口２１から空気流通室１６に吐出され、この空気流通室１６内を流通しながら連通口１８より脱臭・殺菌室４に流入し、この脱臭・殺菌室４を通過する間に、使用済紙おむつＫから発生する悪臭成分が、殺菌灯５と光触媒６とからなる脱臭・殺菌手段によって脱臭及び殺菌されると共に自己浄化される。
【００２７】
脱臭・殺菌室４を通過して悪臭成分を除去された空気は、連通口１９から空気流通室１７に入って、そこを流通しながら、ダクト１５の吸引口２３より吸引され、このダクト１５の吐出口２４から吐出されて容器収容室３に戻される。こうして容器収容室３に戻された空気は、容器収容室３内に残っていた悪臭成分を伴って、再び吸引口２０より吸引され、上記経路と同じ経路を循環する。
【００２８】
容器２に収集した使用済紙おむつＫが満杯になった後も、吸引ファン２２及び吐出ファン４４の駆動を継続させたまま、回収機本体１及び容器２を密閉状態にして、回収機本体１内部の空気を循環させながら、前記脱臭・殺菌手段による脱臭作用及び殺菌作用更に自己浄化作用を行なわせ続け、しかして所要時間経過後に、容器収容室３の扉１３を開けて容器２を容器収容室３から取り出し、この容器２内のゴミ袋の口部を縛って所定の廃棄場所へ運ぶ。
【００２９】
上述したように、この紙おむつ回収機によれば、回収機本体１内部の空気は、容器収容室３→脱臭・殺菌室４→容器収容室３と循環しながら、その循環中に、殺菌灯５と光触媒６とからなる脱臭・殺菌手段により脱臭され、殺菌され、更に浄化されようになっていると共に、使用済紙おむつＫの投入口７が上蓋８で封鎖され、容器収容室３内の容器２が蓋受け１０を介して中蓋９で封鎖されるようになっているから、各種病原菌が外部へ放出されるおそれがないのは勿論のこと、回収機本体１内部に臭気や病原菌がこもることがなくなって、極めて衛生的となり、従って病院等施設内の環境を損なわず、衛生の維持を図ることができると共に、施設内の患者、看護婦、介護者等が感染する内部感染を極力少なくすることができる。
【００３０】
また、この紙おむつ回収機の使用においては、容器収容室３に収容した容器２に使用済紙おむつＫを直接投入せず、この容器２内に予め挿入したゴミ袋の中に投入するようにすれば、使用済紙おむつＫの回収が非常に容易となる。また、容器２内に使用済紙おむつＫを投入するにあたって、上蓋８及び中蓋９を開けるのに、手を使わず、ペダル２８を踏むだけでよく、しかもこの際に中蓋９が上蓋８と連動して開放するから、使用済紙おむつＫの容器２内への投入作業を迅速容易にして且つ衛生的に行なうことができる。
【００３１】
図６及び図７は、本発明に係る紙おむつ回収機の他の実施形態を示すもので、先の実施形態の紙おむつ回収機と異なる点は、使用済紙おむつＫの投入口７を回収機本体１の前面上部、即ち前後側壁部１ｃの上部に設けると共に、この投入口７の内側に上蓋８を設けた点、及び使用済紙おむつ収集用の容器２を前方へ傾転させた状態で容器２内の使用済紙おむつＫを取り出せるようにした点である。
【００３２】
この紙おむつ回収機において、投入口７は、回収機本体１の前側壁部１ｃの上部を貫通して回収機本体１内に突出するように形成され、その内部開口端面７ａが内方へ向かって下り急傾斜状に形成され、この内部開口端面７ａの上端部には、上蓋８の上端に固定された横軸４５がヒンジ（図示省略）によって枢着され、この上蓋８は、常時は自重によって、図７の実線図示のように投入口７の内部開口端面７ａを閉鎖するようになっている。
【００３３】
この紙おむつ回収機に使用される容器２は、その口、即ち開口端面２ａが後方側へ下り傾斜状に形成されると共に、下端には前部側寄り位置に係合凹部４６を有し、この係合凹部４６を、容器収容室３内の下部側に横架された支軸４７に係合させると共に、当該容器２の後部側脚部５０を容器収容室３側の台座４８上に載せることによって、容器収容室３内に収納保持される。容器２を容器収容室３から取り出した時は、前後の脚部４９、５０で床面上に支持させる。容器２の口を閉じる中蓋９は、回収機本体１内の背面側に配設されたダクト１４，１５の前面所要部に枢軸５１で枢着されていて、図示のように、容器収容室３に収容保持された状態で容器２の開口端面２ａを閉鎖するようになっている。
【００３４】
中蓋９を上蓋８と連動して開閉させる連動開閉機構１１は、上蓋８の両側端部に中蓋持ち上げアーム５２，５２の夫々上端側を固着し、両アーム５２，５２の夫々下端には中蓋９の下面側両端部に転接するコロ５３，５３を軸着してなるもので、図６及び図７に示すように、上蓋８が投入口７を封鎖し、中蓋９が容器２の口を封鎖している状態から、上蓋８を内向きに回動開放させると、両側の中蓋持ち上げアーム５２，５２によって中蓋９を持ち上げながら、中蓋９を枢軸５１を中心に回動開放するようになっている。
【００３５】
上蓋８はペダル２８を踏むことによって開放される。即ち、このペダル２８と連動開閉機構１１との間に蓋開閉操作機構２９が介装されていて、ペダル２８を踏むことにより、蓋開閉操作機構２９が連動開閉機構１１を操作して、上蓋８と中蓋９とを連動開放させる。この蓋開閉操作機構２９は、図７に示すように、回収機本体１の底壁部１ｂに回転軸５４を軸架し、この回転軸５４に、ペダル２８を取り付けた揺動レバー５５と、回動アーム５６とを固着する一方、上蓋８の横軸４５に回動アーム５７を固着し、しかしてペダル２８側の回動アーム５６と、上蓋８側の回動アーム５７とをチェーン等の索５８により連結してなるもので、ペダル２８を踏むと、ペダル２８側の回動アーム５６が回動して索５８を引っ張り、これにより上蓋８側の回動アーム５７を回動して、上蓋８を上向きに回動開放する。上蓋８が開放すれば、連動開閉機構１１によって中蓋９が連動開放するようになっている。
【００３６】
また図６及び図７に示すように、容器２には、上向きコ字状の保持枠５９が取り付けてあって、容器２を前方へ所要角度傾転させた状態に保持できるようになっている。即ち、コ字状保持枠５９は、両縦枠５９ａ，５９ａと両縦枠５９ａ，５９ａの下端部及び中間部をつなぐ横枠５９ｂ，５９ｃと、両縦枠５９ａ，５９ａの上端から内向きに対向突出する支軸部５９ｄ，５９ｄとから構成されると共に、両縦枠５９ａ，５９ａの上部側は幅が広く、容器２の両側面を挟むように配置して、支軸部５９ｄ，５９ｄを容器２に対し軸支し、幅の狭くなった両縦枠５９ａ，５９ａの下部側を容器２の前面で支持させた状態としている。
【００３７】
従って、容器２は、通常は、係合凹部４６を、容器収容室３内の支軸４７に係合させると共に後部側脚部５０を容器収容室３内の台座４８上に載せることによって、図７の実線図示のように容器収容室３内に収納保持される。そして、容器２に収集した使用済紙おむつＫを取り出す時には、扉１３を開けて、同図の仮想線図示のように、係合凹部４６を容器収容室３内の支軸４７に係合させた状態で容器２を前方へ傾転させ、コ字状保持枠５９の下端部を床面に接地させることによって容器２を傾転姿勢に保持し、この傾転姿勢のままで容器２から使用済紙おむつＫを容易に取り出すことができ、従って容器２を容器収容室３から取り外す必要がない。
【００３８】
図８及び図９は、本発明に係る紙おむつ回収機の更に他の実施形態を示すもので、回収機本体１を手押し台車６０に搭載した移動式の紙おむつ回収機を示す。図９の（Ａ）は手押し台車６０を示す概略斜視図、（Ｂ）は必要構成部材を装備した回収機本体１の概略斜視図である。図６の（Ａ）から分かるように、手押し台車６０は、両側一対の側面視コ字状側枠６１，６１と、夫々の下端部にコ字状側枠６１を固着した両側一対の縦枠６２，６２と、両縦枠６２，６２の上端部どうしをつなぐ平面視コ字状のハンドル枠６３とからなるもので、各側枠６１の下枠部６１ｂには前後両端部にキャスター４３が取り付けられている。
【００３９】
回収機本体１は、図１〜図５に示す先の実施形態のものと殆ど同様であるが、手押し台車６０に搭載させるために両側面下部側に係合段部６５，６５を設けている点、容器収容室３の扉１３を回収機本体１の側壁部１ｆ側に設けている点、上壁部１ａが水平に形成されている点で、先の実施形態のものと若干相違する。この回収機本体１内の構造及びこの中に装備された設備についても、先の実施形態のものと殆ど同じであるため、同一部材には同一符号を付して説明を省略する。尚、この回収機本体１の底部には、ファンの電源としてのバッテリーが装備されている。この場合、バッテリーを装備すると共に、最寄りのコンセントにつなげる電源コードを装備するようにしてもよい。
【００４０】
この回収機本体１を手押し台車６０に搭載するには、左右側壁部１ｅ，１ｆの下部側を手押し台車６０の両側枠６１，６１間に挿入して、係合段部６５，６５を上枠部６１ａ，６１ａに係止させ、この状態で適当な固定金具等を使用して回収機本体１を手押し台車６０に固定させることにより、図８に示すような形態となる。この図８に示すように、手押し台車６０の縦枠６２，６２間にはトレー６６，６７を取り付け、必要な用具を載せたり、収容できるようにしている。
【００４１】
この移動式の紙おむつ回収機は、使用者がハンドル枠６３を持って、自由に移動させることができるから、使い勝手が良く、使用済紙おむつＫの回収作業に非常に便利である。この紙おむつ回収機の使用方法については、前述した先の実施形態の紙おむつ回収機と同様であるため、その説明は省略する。
【００４２】
以上説明した３つの実施形態の紙おむつ回収機は、何れも、回収機本体１内の上部側に容器収納室２を設け、その下部側に脱臭・殺菌室４を設けた縦長の構造となっているが、回収機本体１内に容器収納室２と脱臭・殺菌室４とを水平方向に並設して、横長構造としてもよい。但し、この実施形態のような縦構造にすれば、紙おむつ回収機の使用にあたって、場所をとらず、使い勝手が良く、使用上非常に有効である。
【００４３】
【発明の効果】
請求項１に係る発明の紙おむつ回収機によれば、回収機本体１内部の空気は、容器収容室から脱臭・殺菌室を経由して容器収容室に戻るように循環しながら、その循環中に、脱臭・殺菌室内に設けられた脱臭・殺菌手段によって脱臭され、殺菌されると共に、回収機本体の使用済紙おむつ投入口が上蓋で封鎖され、容器収容室内の容器が中蓋で封鎖されるようになっているから、各種病原菌が外部へ放出されるおそれがない上に、回収機本体内部に臭気や病原菌がこもることがなくなって、極めて衛生的となり、従って病院等施設内の環境を損なわず、衛生の維持を図ることができると共に、施設内の患者、看護婦、介護者等が感染する内部感染を極力少なくすることができる。また、中蓋が上蓋と連動して開閉するから、上蓋を開閉すれば、同時に中蓋も開閉できて、開閉操作が容易となる。
【００４４】
また、この紙おむつ回収機は、箱状の回収機本体内に、使用済紙おむつ収集用の容器を収容する容器収納室と、脱臭・殺菌手段を備えた脱臭・殺菌室とを形成した非常にコンパクトな構造のもので、しかも軽量化を図ることができるから、非常に使い易い上に、安価に提供することができる。
【００４５】
請求項２に係る発明の紙おむつ回収機によれば、回収機本体の下部にペダルを設けると共に、ペダルと連動開閉機構との間に蓋開閉操作機構を介装し、このペダルを踏むことにより、上蓋と中蓋とを連動して開放するようにしているから、上蓋及び中蓋を開けるのに、手を使わず、ペダルを踏むだけでよく、従って使用済紙おむつの投入作業を迅速容易にして且つ衛生的に行うことができる。
【００４６】
請求項３に係る発明の紙おむつ回収機のように、脱臭・殺菌手段が、紫外線を放射する殺菌灯と、紫外線を受けて活性酸素を発生する光触媒とからなるものによれば、光触媒は、優れた脱臭作用及び殺菌作用を有し、しかもシート状のもので場所をとらず、非常に軽いため、紙おむつ回収機の脱臭・殺菌室内に設ける脱臭・殺菌手段として極めて有効である。また光触媒は、自己浄化作用を有するから、交換不要、メンテナンス不要で、極めて経済的である。
【００４７】
請求項４に係る発明の紙おむつ回収機は、回収機本体を手押し台車に搭載したものであって、自由に移動させることができるから、使い勝手が良く、使用済紙おむつの回収作業に非常に便利である。
【図面の簡単な説明】
【図１】本発明に係る紙おむつ回収機を閉蓋状態で示す斜視図である。
【図２】同紙おむつ回収機を開蓋状態で示す斜視図である。
【図３】図１のＸ−Ｘ線に沿った中央断面図である。
【図４】（Ａ）は（Ｂ）のＹ−Ｙ線に沿った断面図、（Ｂ）は図３と同様な断面図であるが、（Ａ）のＺ−Ｚ線に沿った断面図である。
【図５】（Ａ）は（Ｂ）のＶ−Ｖ線に沿った断面図、（Ｂ）は図１のＷ−Ｗ線に沿った断面図である。
【図６】他の実施形態による紙おむつ回収機を示す斜視図である。
【図７】図６に示す紙おむつ回収機の縦断面図である。
【図８】更に他の実施形態の移動式紙おむつ回収機の斜視図である。
【図９】（Ａ）は手押し台車の斜視図、（Ｂ）は手押し台車に搭載される回収機本体の斜視図である。
【符号の説明】
１　　　　　　　　回収機本体
２　　　　　　　　容器収容室
３　　　　　　　　容器
４　　　　　　　　脱臭・殺菌室
５　　　　　　　　殺菌灯
６　　　　　　　　光触媒
７　　　　　　　　投入口
８　　　　　　　　上蓋
９　　　　　　　　中蓋
１１　　　　　　　連動開閉機構
１３　　　　　　　容器収容室の扉
２２　　　　　　　吸引ファン
２８　　　　　　　ペダル
２９　　　　　　　蓋開閉操作機構
４４　　　　　　　吐出ファン
【図１】
2004121468.tif 000003
【図２】
2004121468.tif 000004
【図３】
2004121468.tif 000005
【図４】
2004121468.tif 000006
【図５】
2004121468.tif 000007
【図６】
2004121468.tif 000008
【図７】
2004121468.tif 000009
【図８】
2004121468.tif 000010
【図９】
2004121468.tif 000011